(57)【特許請求の範囲】
【請求項１】
桁と、垂木と、桁の側面を被覆する化粧材と、化粧材外れ防止材とを備え、桁は側面に化粧材が上方から係止する係止部を有し、化粧材は桁の係止部に上方から係止して桁に取付けてあり、化粧材外れ防止材は桁の上面に取付けてあり、化粧材の上端に対向して化粧材の外れを防止していることを特徴とする簡易建物。
【発明の詳細な説明】
【技術分野】
【０００１】
本発明は、簡易建物に関する。
【背景技術】
【０００２】
特許文献１には、桁の側面を被覆する化粧材を桁にねじで固定することが開示されている。
特許文献２には、垂木連結材に円弧状部係合部を設け、桁の上面に段状の円弧状被係合を形成して、円弧状係合部と円弧状被係合との係合により桁に対する垂木の角度を調整して桁と垂木を連結することが開示されている。
【０００３】
【特許文献１】特開平５−１５６８２７号公報
【特許文献２】特開平９−２３５７８３号公報
【発明の開示】
【発明が解決しようとする課題】
【０００４】
一方、桁の意匠を屋根、デッキ、パーゴラ等の意匠に合わせて施工したいという要求がある。このような要求に応じて、特許文献１のように、化粧材を桁にねじで固定すると、取付けに手間がかかると共にねじ等の固定部品が増えるという問題がある。
また、特許文献２では、桁に対する垂木の角度を変えることを可能としているが、桁に化粧材を取付ける場合には、特許文献１のように桁に化粧材をねじ固定する必要がある為、特許文献１と同様な問題がある。
【０００５】
そこで、本発明は、桁に化粧材を容易に取付けでき且つねじ等の固定部品を削減できる簡易建物の提供を目的とする。
【課題を解決するための手段】
【０００６】
請求項１に記載の発明は、桁と、垂木と、桁の側面を被覆する化粧材と、化粧材外れ防止材とを備え、桁は側面に化粧材が上方から係止する係止部を有し、化粧材は桁の係止部に上方から係止して桁に取付けてあり、化粧材外れ防止材は桁の上面に取付けてあり、化粧材の上端に対向して化粧材の外れを防止していることを特徴とする。
【０００７】
化粧材外れ防止材は、桁と垂木を連結する連結具であることが好ましい。更に、この連結具は、垂木連結材と桁連結材からなり、垂木連結材は垂木との連結部と係合部を有し、桁連結材は桁との連結部と、垂木連結材の係合部に係合する被係合部と、化粧材外れ防止部を有し、垂木連結材の係合部と桁連結材の被連結部を係合して垂木と桁を連結してあることが好ましい。
【発明の効果】
【０００８】
請求項１に記載の発明によれば、桁には側面に設けた係止部に化粧材を上方から係止すると共に桁の上面に固定した化粧材外れ防止材が化粧材の上端に対向して化粧材の外れを防止しているので、化粧材をねじ等で固定しないから、化粧材の取付けが容易にでき且つねじ等の固定部品を削減できる。
【発明を実施するための最良の形態】
【０００９】
以下に、添付図面を参照して本発明の実施の形態を説明する。図１（ａ）は本発明の実施の形態に係る簡易建物を図４のＡ−Ａ位置で切断して示す断面図であり、（ｂ）は（ａ）に示す桁を拡大して示す断面図であり、図２は桁に対する垂木の取付け角度が図１（ｂ）と異なる角度の場合を示す桁の断面図であり、図３は本発明の実施の形態に係る簡易建物を図１（ａ）のＢ−Ｂ位置で切断して示す断面図であり、図４は本発明の実施の形態に係る簡易建物の斜視図である。
図４に示すように、本実施の形態に係る簡易建物１では、デッキ３の真上の部分には屋根パネル９が配置され、デッキ３を超えた部分は垂木７のみで構成されたパーゴラ２としてある。
この簡易建物１は、図１（ａ）に示すように、桁５と、垂木７と、桁５と垂木７を連結する連結具１１とを備えており、桁５は支柱１３の上端間に架設してある。桁５には、後側面５ａを被覆する後側化粧材１２を備えており、桁５の前側面５ｂは前側化粧材１４で被覆している。連結具１１は、垂木７に連結する垂木連結材２１と桁５に連結する桁連結材２３とから構成されている。
図１（ｂ）に示すように、桁５の後側面５ａには、後側化粧材１２を上方から係止する後側係止部１５が設けてある。後側係止部１５は先端が上側を向いた突部である。桁５の前側面５ｂにも前側化粧材１４を上方から係止する前側係止部１７が設けてあり、前側係止部１７も先端が上側を向いた突部になっている。
桁５の上面には、後側コーナー部１８よりも前側に上方に突設した立上り部１９が桁５の長手方向に亘って設けてあり、上面の後側コーナー部１８に桁連結材２３を取付ける連結材取付段部（段部）２２が形成されている。連結材取付段部２２は、後側コーナー部１８から立上がり部１９の下に入り込んで形成されている。
垂木７は後端７ａを垂木掛け２０に固定してあり、中間部７ｂを桁５に載置して、先端７を桁５よりも前側に配置している（図１（ａ）参照）。
垂木連結材２１は、上面を垂木７の下面に当接して垂木下面にねじ２４で固定する垂木連結部２５と、垂木連結部２５よりも前側に設けた円弧状係合部２７とを一体に有している。
桁連結材２３は、桁５との連結部２９と、桁連結部２９よりも後側に設けた円弧状被係合部３１と、円弧状被係合部３１よりも後側に設けて化粧材１２の上端１２ａに対向する化粧材外れ防止部３３とを有している。
桁連結部２９は、立上り部１９の下で段部２２に嵌合しており、円弧状被係合部３１の先端には、対向部３５が形成してあり、対向部３５と円弧状被係合部３１との間に円弧状の溝３７を形成している。
化粧材外れ防止部３３は、化粧材１２の上端に対向して化粧材１２の上方への移動を規制している。この化粧材外れ防止部３３には上方に突設する突部３９が設けてあり突部３９に垂木連結材２１をねじ４１で固定している。
桁５の前側に係止した前側化粧材１４の上端は、桁５の上面にねじ４４で取り付けた化粧材外れ防止材４３に対向しており、化粧材外れ防止材４３により上方への移動が規制されている。
【００１０】
次に、本実施の形態に係る簡易建物の施工、作用及び効果について説明する。
本実施の形態に係る簡易建物１は、桁５の後側係止部１５に後側化粧材１２を上から係止し、前側係止部１７に前側化粧材１４を上から係止して、桁５の上面の後側コーナー部１８に設けてある連結材取付段部２２に桁連結材２３の桁連結部２９を嵌合する。次に、垂木連結材２１の円弧状係合部２７を桁連結材２３の円弧状被係合部３１に係合させて、垂木連結材２１を桁連結材２３に取付ける。
垂木７は後端７ａを垂木掛け２０に取付けて、垂木７の中間部７ｂを桁５の上面に載置して、垂木７の傾斜に合わせて垂木連結材２１の垂木連結部２５を垂木７の下面に当接するように、円弧状係合部２７を桁連結材２３の円弧状被係合部３１に沿って回動することにより角度を調整した後、垂木連結部２５をねじ２４で垂木７に固定する。その位置で桁連結材２３の化粧材外れ防止部３３の突部３９と垂木連結材２１をねじ４１で止めて固定する。
垂木７の傾斜角度が異なる場合には、例えば、図２に示すように、垂木７が略水平になっている場合、垂木連結材２１の円弧状係合部２７を桁連結材２３の円弧状被連結部３１に対して回動し、角度を調節した後、桁連結材２３と垂木連結材２１とをねじ４１で固定する。
本実施の形態によれば、桁５は後側面５ａに設けた後側係止部１５に後側化粧材１２を上方から係止すると共に桁連結材２３に設けた化粧材外れ防止部３３が後側化粧材１２の上端に対向して後側化粧材１２の外れを規制しているので、化粧材１２のねじ等による固定がないから、化粧材取付が容易にでき且つ化粧材１２の固定部品を削減できる。
垂木連結材２１の円弧状係合部２７と、桁連結材２３の円弧状被係合部３１との係合により、桁５に対する垂木７の角度調整が自在である。
桁５の上面には、後側コーナー部１８よりも前側に立上り部１９を設けて、後側コーナー部１８への雨水の浸入を防止しているので、後側コーナー部１８にある連結材取付段部２２に雨水が浸入するのを防止できる。
【００１１】
本発明は、上述した実施の形態に限らず、本発明の要旨を逸脱しない範囲で種々変形可能である。
例えば、簡易建物１はデッキに設けることに限らず、テラスに設けたり、車庫であってもよい。
また、簡易建物１には、隣合う垂木７、７間において垂木７の中間部７ｂに屋根パネル９を設けないものであってもよい。
立上り部１９は、図１及び図２では上端が垂木連結材２１の下面に当接しているが、垂木連結材２１の下面との間に隙間を空けていてもよく、上端が垂木連結材２１の下面に当接することに限らない。
【図面の簡単な説明】
【００１２】
【図１】（ａ）は本発明の実施の形態に係る簡易建物を図４のＡ−Ａ位置で切断して示す断面図であり、（ｂ）は（ａ）に示す桁を拡大して示す断面図である。
【図２】桁に対する垂木の取付け角度が図１（ｂ）と異なる角度の場合を示す桁の断面図である。
【図３】本発明の実施の形態に係る簡易建物を図１（ａ）のＢ−Ｂ位置で切断して示す断面図である。
【図４】本発明の実施の形態に係る簡易建物の斜視図である。
【符号の説明】
【００１３】
１      簡易建物
５      桁
５ａ    後側面
５ｂ    前側面
７      垂木
１１    連結具（化粧材外れ防止材）
１２    後側化粧材
１４    前側化粧材
１５    後側係止部
１７    前側係止部
４３    化粧材外れ防止材
【図１】
0005167396.tif 000002
【図２】
0005167396.tif 000003
【図３】
0005167396.tif 000004
【図４】
0005167396.tif 000005